(57)【特許請求の範囲】
【請求項１】
予め定められた表示領域に設けられた目盛表示部と、
この目盛表示部の上方を移動して前記目盛表示部の目盛を指示する指針と、
この指針を駆動するためのステッピングモータと、
前記目盛表示部の端部に位置して前記指針の移動範囲を規制するストッパ部と、
このストッパ部を移動可能に支持する可動支持部材と、を備え、
前記可動支持部材は、前記指針の回転中心を中心に回転可能に配置され、且つその回転中心を境に重量バランスが異なる回転連結板であり、この回転連結板の両端部に前記ストッパ部がそれぞれ取り付けられていることを特徴とする表示装置。
【請求項２】
予め定められた表示領域に設けられた目盛表示部と、
この目盛表示部の上方を移動して前記目盛表示部の目盛を指示する指針と、
この指針を駆動するためのステッピングモータと、
前記目盛表示部の端部に位置して前記指針の移動範囲を規制するストッパ部と、
このストッパ部を移動可能に支持する可動支持部材と、を備え、
前記可動支持部材は、偏心回転する偏心回転体であり、この偏心回転体に前記ストッパ部が取り付けられていることを特徴とする表示装置。
【請求項３】
請求項１又は２に記載の表示装置を備えていることを特徴とする電子時計。
【発明の詳細な説明】
【技術分野】
【０００１】
この発明は、時計や計器などの機器に用いられる表示装置およびそれを備えた電子時計に関する。
【背景技術】
【０００２】
例えば、計器に用いられて速度を指示表示する表示装置においては、特許文献１に記載されているように、速度目盛が表示された文字板の上方を移動する指針を、ステッピングモータによって駆動することにより、指針で文字板の速度目盛を指示するように構成されたものが知られている。
【先行技術文献】
【特許文献】
【０００３】
【特許文献１】特開平１１−１６０３６０号公報
【０００４】
この種の表示装置における文字板は、その上面に速度目盛が予め定められた範囲で設けられていると共に、速度目盛の起点位置に指針を位置規制するためのストッパ部が設けられている。これにより、この表示装置は、ステッピングモータによって指針が回転して速度目盛を指示し、この後、ステッピングモータによって指針が逆方向に回転して起点位置に戻り、ステッピングモータが停止するように構成されている。
【０００５】
ところで、ステッピングモータは、コイル部、ステータ、およびロータを備え、コイル部に電流を流してステータに交番磁界を発生させ、この交番磁界によって磁石を有するロータを１８０度ずつステップ回転させるように構成されている。この場合、ステータにはロータが配置する貫通孔が設けられていると共に、この貫通孔の内面にはロータが１８０度回転するごとにロータの回転位置を規制するためのノッチが互いに対向して設けられている。
【発明の概要】
【発明が解決しようとする課題】
【０００６】
このような表示装置では、ステッピングモータが停止し、指針が起点位置に位置してストッパ部に当接している状態のときに、外部から衝撃を受けて、指針がストッパ部に強く押し付けられると、ステッピングモータにおけるロータの停止位置が、ステータの貫通孔に設けられたノッチに対して位置ずれてしまうことがある。このような場合には、コイル部に電流を流してステータに交番磁界を発生させても、その交番磁界によってロータが回転しないことがあるという問題が生じる。
【０００７】
この発明が解決しようとする課題は、外部衝撃を受けても、ステッピングモータを確実に動作させることができる表示装置および電子時計を提供することである。
【課題を解決するための手段】
【０００８】
この発明は、予め定められた表示領域に設けられた目盛表示部と、この目盛表示部の上方を移動して目盛表示部の目盛を指示する指針と、この指針を駆動するためのステッピングモータと、前記目盛表示部の端部に位置して前記指針の移動範囲を規制するストッパ部と、このストッパ部を移動可能に支持する可動支持部材と、を備え、前記可動支持部材は、前記指針の回転中心を中心に回転可能に配置され、且つその回転中心を境に重量バランスが異なる回転連結板であり、この回転連結板の両端部に前記ストッパ部がそれぞれ取り付けられていることを特徴とする表示装置である。
【発明の効果】
【０００９】
この発明によれば、指針がストッパ部に当接してステッピングモータが停止している状態のときに、外部から衝撃を受けて、指針がストッパ部に強く押し付けられると、その衝撃によって可動支持部材がストッパ部を移動させることができる。このため、指針がストッパ部と共に移動した後に、可動支持部材によってストッパ部を元の位置に戻すことにより、ステッピングモータの回転位置を元に戻すことができる。これにより、外部衝撃を受けても、ステッピングモータを確実に動作させることができる。
【図面の簡単な説明】
【００１０】
【図１】この発明を腕時計に適用した第１実施形態における時計モジュールを示した拡大正面図である。
【図２】図１に示された時計モジュールのＡ−Ａ矢視における拡大断面図である。
【図３】図１に示された時計モジュールにおける表示装置を透視して示した拡大正面図である。
【図４】図３に示された表示装置のステッピングモータにおけるステータとロータとの対応関係を示し、（ａ）はロータが正しい位置に停止している状態を示した要部の拡大正面図、（ｂ）はロータが正しい位置からずれて停止している状態を示した要部の拡大正面図である。
【図５】図３に示された表示装置において指針と第１、第２の各ストッパピンとの対応関係を示し、（ａ）は指針が第１、第２のストッパピンの一方に当接している状態を示した要部の拡大正面図、（ｂ）はその状態で指針が第１、第２のストッパピンの一方を押して回転連結板が回転する状態を示した要部の拡大正面図である。
【図６】この発明を腕時計に適用した第２実施形態における時計モジュールの表示装置を示した要部の拡大断面図である。
【図７】図６に示された表示装置の偏心回転体を示した拡大斜視図である。
【図８】図６に示された表示装置において指針、第１、第２の各ストッパ部、および一対の偏心回転体における各対応関係を示し、（ａ）は指針が第１、第２のストッパ部の一方に当接している状態を示した要部の拡大正面図、（ｂ）はその状態で指針が第１ストッパ部を押して偏心回転体が偏心回転した状態を示した要部の拡大正面図である。
【図９】この発明を腕時計に適用した第３実施形態における時計モジュールの表示装置を示した要部の拡大断面図である。
【図１０】図９に示された表示装置において指針、第１、第２の各ストッパピン、および一対の板ばねにおける各対応関係を示し、（ａ）は指針が第１、第２のストッパピンの一方に当接している状態を示した要部の拡大正面図、（ｂ）はその状態で指針が第１、第２のストッパピンを押した際に、一対の板ばねが撓み変形する状態を示した要部の拡大正面図である。
【発明を実施するための形態】
【００１１】
（第１実施形態）
以下、図１〜図５を参照して、この発明を指針式の腕時計に適用した第１実施形態について説明する。
この腕時計は、図１および図２に示すように、時計モジュール１を備えている。この時計モジュール１は、腕時計ケース（図示せず）内に配置されるように構成されている。この時計モジュール１は、ハウジング２を備えている。
【００１２】
このハウジング２の上部には、図２に示すように、上文字板３と下文字板４とが上下に所定間隔離れた状態で配置されている。上文字板３は、図１に示すように、その上方を秒針５ａ、分針５ｂ、時針５ｃが運針して、上文字板３の周縁に設けられた時字６を指示することにより、時刻を指示表示するように構成されている。この上文字板３には、気圧表示などのレトログラード用の開口部７が６時側に設けられている。この開口部７は、円弧状の長孔に形成されている。
【００１３】
また、下文字板４およびハウジング２には、図１および図２に示すように、気圧表示などのレトログラード用の表示装置８が上文字板３の開口部７に対応して設けられている。この表示装置８は、下文字板４上に設けられた目盛表示部１０と、この目盛表示部１０の上方を移動する指針１１と、この指針１１を駆動するためのステッピングモータ１２とを備えている。
【００１４】
目盛表示部１０は、図１〜図３に示すように、下文字板４上に気圧などのレトログラード用の目盛９が上文字板３の開口部７に対応して設けられている。指針１１は、ステッピングモータ１２の回転によって目盛表示部１０の上方を移動し、目盛表示部１０の目盛９を指示するように構成されている。
【００１５】
すなわち、この指針１１は、図１〜図３に示すように、指針軸１３の上端部に取り付けられている。この指針軸１３の下部には、伝達車１４が設けられている。この伝達車１４は、中間車１５を介してステッピングモータ１２によって回転するように構成されている。これにより、指針１１は、ステッピングモータ１２によって指針軸１３が回転することにより、下文字板４の上方を回転移動するように構成されている。
【００１６】
この場合、指針軸１３は、図１に示すように、円弧状の開口部７に対応する円弧の中心に位置した状態で、図２に示すように、その中間部がハウジング２に回転自在に取り付けられている。この指針軸１３の上端部は、下文字板４の上方に突出し、この突出した部分に指針１１が取り付けられている。また、この指針軸１３の下部に取り付けられた伝達車１４は、ハウジング２に回転自在に取り付けられた中間車１５のカナ１５ａに噛み合って回転するように構成されている。
【００１７】
ステッピングモータ１２は、図２および図３に示すように、コイル部１６、ステータ１７、およびロータ１８を備え、ハウジング２内に設けられている。コイル部１６は、コア１６ａにコイル１６ｂを巻き付けたものであり、コイル１６ｂに交番電流が供給されると、交番磁界を発生するように構成されている。ステータ１７は、コイル１６ｂと平行に配置された状態で、その両端部がコア１６ａの両端に取り付けられ、コイル部１６で発生した磁界が伝わるように構成されている。
【００１８】
ロータ１８は、図２および図３に示すように、ステータ１７の中間部に設けられた貫通孔１７ａ内に配置された状態で、その軸部１８ａがハウジング２に回転自在に取り付けられている。このロータ１８は、ステータ１７の貫通孔１７ａ内に配置される磁石部２０と、中間車１５が噛み合うロータカナ２１とを有している。磁石部２０は、図４（ａ）に示すように、ステータ１７の貫通孔１７ａ内に配置された際に、貫通孔１７ａの内面に互いに対向して設けられた一対のノッチ１７ｂを境に磁極（Ｎ極とＳ極）が分かれるように構成されている。
【００１９】
この場合、一対のノッチ１７ｂは、図４（ａ）に示すように、ステータ１７の貫通孔１７ａをステータ１７の長手方向に対して２分する位置よりも少しずれた位置、すなわちステータ１７の長手方向において貫通孔１７ａを２分する線Ｒ１に対して少し傾いた線Ｒ２上に位置した状態で設けられている。このため、ロータ１８の磁石部２０は、その磁極（Ｎ極とＳ極）の境界部が、ステータ１７の貫通孔１７ａにおける一対のノッチ１７ｂに対応した状態で、ステータ１７の貫通孔１７ａ内に配置されるように構成されている。
【００２０】
これにより、ロータ１８は、コイル部１６に交番電流が流れてステータ１７に交番磁界が発生した際に、図４（ａ）に示すように、ステータ１７の貫通孔１７ａにおける一対のノッチ１７ｂを境に、磁極（Ｎ極とＳ極）が交互に変わることにより、磁石部２０が１８０度ずつステップ回転するように構成されている。
【００２１】
また、このロータ１８は、図２および図３に示すように、ロータカナ２１に中間車１５が噛み合っていることにより、ロータ１８のステップ回転が中間車１５のカナ１５ａを介して伝達車１４に伝達され、この伝達車１４の回転によって指針軸１３を回転させて、指針１１を移動させるように構成されている。
【００２２】
ところで、この表示装置８は、図２および図５に示すように、指針１１の移動範囲を規制するための第１、第２の各ストッパピン２３、２４と、この第１、第２の各ストッパピン２３、２４を移動可能に支持する回転連結板２５とを更に備えている。第１、第２の各ストッパピン２３、２４は、回転連結板２５の両端部にそれぞれ起立した状態で設けられている。
【００２３】
この場合、第１、第２の各ストッパピン２３、２４は、図２および図５に示すように、その各上部が目盛表示部１０の両端部に位置する下文字板４の箇所にそれぞれ設けられた一対の挿入孔２６を通して下文字板４の上方に突出するように構成されている。この一対の挿入孔２６は、回転連結板２５の回転中心である指針軸１３を中心とする円弧状の長孔に形成され、この長孔に沿って第１、第２の各ストッパピン２３、２４が移動するように構成されている。
【００２４】
回転連結板２５は、図２および図５（ｂ）に示すように、その中間部が指針軸１３に回転可能に取り付けられている。この回転連結板２５は、ほぼ帯板状に形成され、その回転中心を境に重量バランスが左右で異なるように構成されている。例えば、この回転連結板２５は、図５（ｂ）に示すように、その回転中心を境に、左側が細く、右側が太く形成されている。また、この回転連結板２５は、回転中心を境に重量バランスが異なると共に、回転しても常に元の所定位置に戻るように構成されている。
【００２５】
これにより、この回転連結板２５は、図５（ａ）および図５（ｂ）に示すように、指針１１が左側の第１ストッパピン２３に当接した状態で、指針１１が反時計回りに回転して第１ストッパピン２３を押すと、この押された第１ストッパピン２３によって回転連結板２５が反時計回りに回転して第２ストッパピン２４を同じ方向に移動させ、且つその（第２ストッパピン２４の）反動で回転連結板２５が逆回転して第１ストッパピン２３を押し戻すように構成されている。
【００２６】
また、この回転連結板２５は、図５（ａ）および図５（ｂ）に示すように、指針１１が右側の第２ストッパピン２４に当接した状態で、指針１１が時計回りに回転して第２ストッパピン２４を押すと、この押された第２ストッパピン２４によって回転連結板２５が時計回りに回転して第１ストッパピン２３を同じ方向に移動させ、且つその反動で回転連結板２５が逆回転して第２ストッパピン２４を押し戻すように構成されている。
【００２７】
さらに、この回転連結板２５は、指針１１が第１、第２の各ストッパピン２３、２４のいずれか一方に当接してステッピングモータ１２のロータ１８が回転動作しない状態のときに、腕時計を強く振ると、回転連結板２５の重量バランスが異なることにより、回転連結板２５がいずれかの方向に回転して、第１、第２の各ストッパピン２３、２４を移動させ、これにより指針１１を移動させて、ステッピングモータ１２のロータ１８を強制的に回転させるように構成されている。
【００２８】
次に、この腕時計における表示装置８の作用について説明する。
この表示装置８は、時計モジュール１に組み込まれた気圧センサー（図示せず）によって気圧が検出されると、その検出データに基づいてステッピングモータ１２が回転する。このときは、ステッピンブモータ１２のコイル部１６に気圧センサーの検出データに応じて交番電流が供給され、ステータ１７に交番磁界を発生させて、ロータ１８をステップ回転させる。
【００２９】
すると、ロータ１８の回転によってロータカナ２１に噛み合っている中間車１５が回転し、この中間車１５の回転が中間車１５のカナ１５ａに噛み合っている伝達車１４に伝達され、この伝達車１４の回転によって指針軸１３が回転し、この指針軸１３の回転によって指針１１が回転して目盛表示部１０の上方を移動する。これにより、指針１１が目盛表示部１０の目盛９、例えば図１に示すように、７００（気圧）の目盛９を指示することにより、気圧が指示表示される。
【００３０】
この状態で、指針１１が停止すると、ステッピングモータ１２への通電が断たれて、ロータ１８の回転が停止する。このときには、ロータ１８の磁石部２０は、その磁極（Ｎ極とＳ極）の境界部が、ステータ１７の貫通孔１７ａにおける一対のノッチ１７ｂに対応した状態で、ロータ１８が停止する。このため、ステッピングモータ１２は、次の気圧測定でコイル部１６に電流が供給されると、ロータ１８が回転する状態を維持する。
【００３１】
また、この状態で、腕時計が外部から衝撃を受けて、その衝撃によって指針１１が触れるように回転すると、これに伴ってステッピングモータ１２のロータ１８が回転しても、ロータ１８は、磁石部２０の磁極（Ｎ極とＳ極）の境界部が、ステータ１７の貫通孔１７ａにおける一対のノッチ１７ｂに対応する元の状態に戻り、指針１１を気圧センサーの検出データに応じた位置に戻す。
【００３２】
一方、気圧が低下した際には、ステッピングモータ１２のロータ１８が逆回転して、指針１１が左側の第１ストッパピン２３に向けて移動する。このときには、ステッピングモータ１２のコイル部１６にロータ１６が逆回転するような交番電流を供給して、ステータ１７に交番磁界を発生させ、ロータ１８を逆回転させる。これにより、指針軸１３が逆回転して、指針１１が目盛表示部１０の上方を逆方向に移動する。このとき、気圧が最も低くなると、指針１１が左側の第１ストッパピン２３に当接して停止する。
【００３３】
すると、ステッピングモータ１２への通電が断たれて、ロータ１８の回転が停止する。このときには、ロータ１８の磁石部２０は、その磁極（Ｎ極とＳ極）の境界部が、ステータ１７の貫通孔１７ａにおける一対のノッチ１７ｂに対応した状態で、ロータ１８が停止する。このため、ステッピングモータ１２は、次の気圧測定でコイル部１６に電流が供給されると、ロータ１８が回転する状態を維持する。
【００３４】
このような状態で、腕時計が外部から衝撃を受けて、その衝撃によって指針１１が第１ストッパピン２３を押した際には、図５（ｂ）に示すように、この押された第１ストッパピン２３によって回転連結板２５が反時計回りに回転して第２ストッパピン２４を同じ方向に移動させ、その（第２ストッパピン２４の）反動で回転連結板２５が逆回転（つまり時計回りに回転）して第１ストッパピン２３を押し戻す。
【００３５】
このように、指針１１が第１ストッパピン２３を押した際には、ステッピングモータ１２のロータ１８が僅かに回転して、例えば図４（ｂ）に示すように、ロータ１８の磁石部２０における磁極（Ｎ極とＳ極）の境界部が、ステータ１７の貫通孔１７ａにおける一対のノッチ１７ｂに対して位置ずれしても、回転連結板２５の逆回転によって第１ストッパピン２３が押し戻される。
【００３６】
このため、ステッピングモータ１２は、図４（ａ）に示すように、ロータ１８の磁石部２０における磁極（Ｎ極とＳ極）の境界部が、ステータ１７の貫通孔１７ａにおける一対のノッチ１７ｂに対応した状態で、ロータ１８が停止する。これにより、ステッピングモータ１２は、次の気圧測定でコイル部１６に電流が供給されると、ロータ１８が回転する状態になる。
【００３７】
同様に、気圧が上昇して指針１１が右側の第２ストッパピン２４に当接して停止した際にも、ステッピングモータ１２への通電が断たれて、ロータ１８の回転が停止する。このときにも、ロータ１８の磁石部２０は、その磁極（Ｎ極とＳ極）の境界部が、ステータ１７の貫通孔１７ａにおける一対のノッチ１７ｂに対応した状態で、ロータ１８が停止する。このため、ステッピングモータ１２は、次の気圧測定でコイル部１６に電流が供給されると、ロータ１８が回転する状態になる。
【００３８】
このような状態で、腕時計が外部から衝撃を受けて、その衝撃によって指針１１が第２ストッパピン２４を押した際には、図５（ｂ）に２点鎖線で示すように、この押された第２ストッパピン２４によって回転連結板２５が時計回りに回転して第１ストッパピン２３を同じ方向に移動させ、その反動で回転連結板２５が逆回転して第２ストッパピン２４を押し戻す。
【００３９】
このときも、指針１１が第２ストッパピン２４を押した際には、ステッピングモータ１２のロータ１８が僅かに回転して、ロータ１８の磁石部２０における磁極（Ｎ極とＳ極）の境界部が、ステータ１７の貫通孔１７ａにおける一対のノッチ１７ｂに対して位置ずれしても、回転連結板２５の逆回転によって第２ストッパピン２４が押し戻される。
【００４０】
これにより、ステッピングモータ１２は、ロータ１８の磁石部２０における磁極（Ｎ極とＳ極）の境界部が、ステータ１７の貫通孔１７ａにおける一対のノッチ１７ｂに対応した状態で、ロータ１８が停止する。このため、ステッピングモータ１２は、次の気圧測定でコイル部１６に電流が供給されると、ロータ１８が回転する状態になる。
【００４１】
さらに、指針１１が何らかの原因によって第１、第２の各ストッパピン２３、２４のいずれか一方に当接して、ステッピングモータ１２のロータ１８が回転動作しない状態のときには、腕時計を強く振って、回転連結板２５をいずれかの方向に強制的に回転させることにより、指針１１を移動させてステッピングモータ１２のロータ１８を強制的に回転させる。
【００４２】
すなわち、腕時計を強く振ると、回転連結板２５の重量バランスが異なることにより、回転連結板２５がいずれかの方向に回転する。これにより、第１、第２の各ストッパピン２３、２４が移動して、指針１１が回転することにより、ステッピングモータ１２のロータ１８が回転する。
【００４３】
このため、ロータ１８の磁石部２０における磁極（Ｎ極とＳ極）の境界部が、ステータ１７の貫通孔１７ａにおける一対のノッチ１７ｂに対して位置ずれした状態で、指針１１が停止していても、回転連結板２５の回転によってロータ１８を回転させて、ロータ１８の磁石部２０における磁極（Ｎ極とＳ極）の境界部を、ステータ１７の貫通孔１７ａにおける一対のノッチ１７ｂに対応させて、ロータ１８を回転可能な状態にする。
【００４４】
このように、この腕時計の表示装置８によれば、予め定められた表示領域に設けられた目盛表示部１０と、この目盛表示部１０の上方を移動して目盛表示部１０の目盛９を指示する指針１１と、この指針１１を駆動するためのステッピングモータ１２と、目盛表示部１０の両端部にそれぞれ位置して指針１１の移動範囲を規制するための一対のストッパピン２３、２４と、この一対のストッパピン２３、２４をそれぞれ移動可能に支持する可動支持部材である回転連結板２５とを備えていることにより、外部衝撃を受けても、ステッピングモータ１２を確実に動作させることができる。
【００４５】
すなわち、この表示装置８では、指針１１が第１、第２のストッパピン２３、２４の一方に当接してステッピングモータ１２が停止している状態のときに、外部から衝撃を受けて、指針１１が第１、第２のストッパピン２３、２４の一方を強く押すと、その衝撃によって回転連結板２５が回転して第１、第２のストッパピン２３、２４を移動させることができる。
【００４６】
このため、指針１１が第１、第２のストッパピン２３、２４と共に移動した後に、その反動で回転連結板２５が逆回転することにより、第１、第２のストッパピン２３、２４を元の位置に戻すことができるので、ステッピングモータ１２の回転位置がずれても、その位置ずれを元に戻すことができる。これにより、外部衝撃を受けても、ステッピングモータ１２を確実に動作させることができる。
【００４７】
この場合、回転連結板２５は、指針１１の回転中心を中心に回転可能に配置され、且つその回転中心を境に重量バランスが異なり、この回転連結板２５の両端部に第１、第２のストッパピン２３、２４がそれぞれ取り付けられている構成であることにより、指針１１が第１、第２のストッパピン２３、２４の一方に当接している状態で、外部から衝撃を受けて、回転連結板２５が回転しても、重量バランスが異なることにより、回転による反動で回転連結板２５を逆回転させて元の回転位置に戻すことができる。このため、ステッピングモータ１２の回転位置がずれても、その位置ずれを元に戻すことができる。
【００４８】
さらに、この表示装置８では、回転連結板２５の重量バランスが異なることにより、指針１１が何らかの原因によって第１、第２の各ストッパピン２３、２４のいずれか一方に当接して、ステッピングモータ１２のロータ１８が回転動作しない状態のときに、腕時計を強く振って、回転連結板２５をいずれかの方向に強制的に回転させることができるので、指針１１を移動させてステッピングモータ１２のロータ１８を強制的に回転させることができる。
【００４９】
これにより、ロータ１８の磁石部２０における磁極（Ｎ極とＳ極）の境界部が、ステータ１７の貫通孔１７ａにおける一対のノッチ１７ｂに対して位置ずれした状態で、指針１１が停止していても、回転連結板２５の回転によってロータ１８を強制的に回転させて、ロータ１８の磁石部２０における磁極（Ｎ極とＳ極）の境界部を、ステータ１７の貫通孔１７ａにおける一対のノッチ１７ｂに対応させることができ、これによりロータ１８を回転可能な状態にすることができる。
【００５０】
（第２実施形態）
次に、図６〜図８を参照して、この発明を腕時計に適用した第２実施形態について説明する。なお、図１〜図５に示された第１実施形態と同一部分には同一符号を付して説明する。
この腕時計の表示装置３０は、図６〜図８に示すように、第１、第２の各ストッパ部３１、３２を一対の偏心回転体３３にそれぞれ設けた構成であり、これ以外は第１実施形態とほぼ同様に構成されている。
【００５１】
この一対の偏心回転体３３は、図６〜図８に示すように、それぞれ回転軸３４と偏心部３５とを有し、これらが目盛表示部１０の両端部に位置する下文字板４の箇所にそれぞれ配置されている。この場合、回転軸３４は、ハウジング２と下文字板４とに回転自在に取り付けられ、その上部が下文字板４の上方に突出し、下部がハウジング２内の空間部３６内に突出し、この突出した下部に偏心部３５が取り付けられるように構成されている。
【００５２】
偏心部３５は、図７および図８に示すように、ほぼ楕円柱状に形成され、その中心からずれた一側部（図７では右上側部）に回転軸３４の下部が取り付けられ、この状態でハウジング２の空間部３６内で回転するように構成されている。また、第１、第２の各ストッパ部３１、３２は、それぞれ偏心部３５よりも小さいほぼ楕円柱状に形成され、その中心からずれた一側部（図７では左下側部）に回転軸３４の上部が取り付けられ、他側部である各先端部３１ａ、３２ａが偏心部３５と反対側に向けて突出するように構成されている。
【００５３】
これにより、この一対の偏心回転体３３は、図８（ａ）および図８（ｂ）に示すように、第１、第２の各ストッパ部３１、３２の突出した各先端部３１ａ、３２ａが目盛表示部１０上を移動する指針１１側に向けて突出し、各偏心部３５の他端部３５ａが目盛表示部１０上を移動する指針１１と反対側に向けて突出し、この状態で第１、第２の各ストッパ部３１、３２の突出した各先端部３１ａ、３２ａに指針１１が当接することにより、指針１１の移動範囲を規制するように構成されている。
【００５４】
また、この一対の偏心回転体３３は、図８（ａ）および図８（ｂ）に示すように、指針１１が第１、第２の各ストッパ部３１、３２の各先端部３１ａ、３２ａに当接した状態で、指針１１が更に回転して第１、第２の各ストッパ部３１、３２を押すと、この押された第１、第２の各ストッパ部３１、３２が各回転軸３４を中心に回転して各偏心部３５を偏心回転させ、その反動で各偏心部３５が逆回転して第１、第２の各ストッパ部３１、３２を元の位置に押し戻すように構成されている。
【００５５】
さらに、この一対の偏心回転体３３は、指針１１が第１、第２の各ストッパ部３１、３２のいずれか一方に当接してステッピングモータ１２のロータ１８が回転動作しない状態のときに、腕時計を強く振ると、各偏心部３５がそれぞれ各回転軸３４を中心に偏心回転することにより、第１、第２の各ストッパ部３１、３２がそれぞれ各回転軸３４を中心に回転して指針１１を強制的に回転させるように構成されている。
【００５６】
次に、この腕時計における表示装置３０の作用について説明する。
この表示装置３０も、第１実施形態と同様、時計モジュール１に組み込まれた気圧センサー（図示せず）によって気圧が検出されると、その検出データに基づいてステッピングモータ１２が回転する。これにより、指針１１が目盛表示部１０の上方を移動して目盛９、例えば図１に示したように、７００（気圧）の目盛９を指示することにより、気圧が指示表示される。
【００５７】
一方、気圧が低下して指針１１が左側の第１ストッパ部３１の先端部３１ａに当接して停止した際には、ステッピングモータ１２への通電が断たれて、ロータ１８の回転が停止する。このときにも、ロータ１８の磁石部２０は、その磁極（Ｎ極とＳ極）の境界部が、ステータ１７の貫通孔１７ａにおける一対のノッチ１７ｂに対応した状態で、ロータ１８が停止する。このため、ステッピングモータ１２は、次の気圧測定でコイル部１６に電流が供給されると、ロータ１８が回転する状態を維持する。
【００５８】
このような状態で、腕時計が外部から衝撃を受け、その衝撃によって指針１１が第１ストッパ部３１の先端部３１ａを押した際には、この押された第１ストッパ部３１が回転軸３４を中心に回転して、偏心回転体３３の偏心部３５を偏心回転させ、その反動で偏心部３５が逆回転し、指針１１を押し戻す。
【００５９】
これにより、ステッピングモータ１２のロータ１８が僅かに回転して、ロータ１８の磁石部２０における磁極（Ｎ極とＳ極）の境界部が、ステータ１７の貫通孔１７ａにおける一対のノッチ１７ｂに対して位置ずれしても、偏心回転体３３の偏心部３５が偏心回転することにより、指針１１が押し戻される。
【００６０】
このため、ステッピングモータ１２は、ロータ１８の磁石部２０における磁極（Ｎ極とＳ極）の境界部が、ステータ１７の貫通孔１７ａにおける一対のノッチ１７ｂに対応した状態で、ロータ１８が停止する。これにより、ステッピングモータ１２は、次の気圧測定でコイル部１６に電流が供給されると、ロータ１８が回転する状態になる。
【００６１】
同様に、気圧が上昇して指針１１が右側の第２ストッパ部３２の先端部３２ａに当接して停止した際にも、ステッピングモータ１２への通電が断たれて、ロータ１８の回転が停止する。このときにも、ロータ１８の磁石部２０は、その磁極（Ｎ極とＳ極）の境界部が、ステータ１７の貫通孔１７ａにおける一対のノッチ１７ｂに対応した状態で、ロータ１８が停止する。このため、ステッピングモータ１２は、次の気圧測定でコイル部１６に電流が供給されると、ロータ１８が回転する状態を維持する。
【００６２】
このような状態で、腕時計が外部から衝撃を受けて、その衝撃によって指針１１が第２ストッパ部３２の先端部３２ａを押した際には、この押された第２ストッパ部３２が回転軸３４を中心に回転して、偏心回転体３３の偏心部３５を偏心回転させ、その反動で偏心部３５が逆回転し、指針１１を押し戻す。
【００６３】
これにより、ステッピングモータ１２のロータ１８が僅かに回転して、ロータ１８の磁石部２０における磁極（Ｎ極とＳ極）の境界部が、ステータ１７の貫通孔１７ａにおける一対のノッチ１７ｂに対して位置ずれしても、偏心回転体３３の偏心部３５を偏心回転によって指針１１が押し戻される。
【００６４】
このため、ステッピングモータ１２は、ロータ１８の磁石部２０における磁極（Ｎ極とＳ極）の境界部が、ステータ１７の貫通孔１７ａにおける一対のノッチ１７ｂに対応した状態で、ロータ１８が停止する。これにより、ステッピングモータ１２は、次の気圧測定でコイル部１６に電流が供給されると、ロータ１８が回転する状態になる。
【００６５】
さらに、指針１１が何らかの原因によって第１、第２の各ストッパ部３１、３２のいずれか一方に当接してステッピングモータ１２のロータ１８が回転動作しない状態のときには、腕時計を強く振って、偏心回転体３３の偏心部３５を強制的に偏心回転させることにより、第１、第２の各ストッパ部３１、３２を回転させて指針１１を移動させ、ステッピングモータ１２のロータ１８を強制的に回転させる。
【００６６】
これにより、ロータ１８の磁石部２０における磁極（Ｎ極とＳ極）の境界部が、ステータ１７の貫通孔１７ａにおける一対のノッチ１７ｂに対して位置ずれして、指針１１が停止していても、偏心回転体３３の偏心部３５が偏心回転することにより、ロータ１８が回転してロータ１８の磁石部２０における磁極（Ｎ極とＳ極）の境界部を、ステータ１７の貫通孔１７ａにおける一対のノッチ１７ｂに対応させ、ロータ１８を回転可能な状態にする。
【００６７】
このように、この腕時計の表示装置３０によれば、指針１１が第１、第２の各ストッパ部３１、３２のいずれかに当接してステッピングモータ１２が停止している状態のときに、外部から衝撃を受けて、指針１１が第１、第２の各ストッパ部３１、３２のいずれかに強く押し付けられると、その衝撃によって一対の偏心回転体３３が偏心回転して、第１、第２の各ストッパ部３１、３２を移動させることができる。
【００６８】
このため、指針１１が第１、第２の各ストッパ部３１、３２のいずれかと共に移動した後に、その反動で一対の偏心回転体３３が逆回転して第１、第２の各ストッパ部３１、３２を元の位置に戻すことができるので、ステッピングモータ１２の回転位置がずれても、その位置ずれを元に戻すことができる。これにより、外部衝撃を受けても、ステッピングモータ１２を確実に動作させることができる。
【００６９】
この場合、一対の偏心回転体３３は、それぞれ回転軸３４と偏心部３５とを有し、この偏心部３５の中心からずれた位置に回転軸３４が取り付けられ、この回転軸３４に第１、第２の各ストッパ部３１、３２が取り付けられている構成であるから、指針１１が第１、第２の各ストッパ部３１、３２のいずれかを押し付けて、偏心部３５を偏心回転させると、その反動で偏心部３５が逆回転して第１、第２の各ストッパ部３１、３２を元の位置に戻し、ロータ１８の回転位置を元に戻すことができる。
【００７０】
また、この表示装置３０では、一対の偏心回転体３３が偏心回転する構成であるから、指針１１が何らかの原因によって第１、第２の各ストッパ部３１、３２のいずれか一方に当接して、ステッピングモータ１２のロータ１８が回転動作しない状態のときに、腕時計を強く振って、一対の偏心回転体３３を強制的に偏心回転させて、第１、第２の各ストッパ部３１、３２を回転させることができるので、指針１１を移動させてステッピングモータ１２のロータ１８を強制的に回転させることができる。
【００７１】
これにより、ロータ１８の磁石部２０における磁極（Ｎ極とＳ極）の境界部が、ステータ１７の貫通孔１７ａにおける一対のノッチ１７ｂに対して位置ずれして、指針１１が停止していても、一対の偏心回転体３３の偏心回転によってロータ１８を強制的に回転させて、ロータ１８の磁石部２０における磁極（Ｎ極とＳ極）の境界部を、ステータ１７の貫通孔１７ａにおける一対のノッチ１７ｂに対応させることができるので、ロータ１８を回転可能な状態にすることができる。
【００７２】
（第３実施形態）
次に、図９および図１０を参照して、この発明を腕時計に適用した第３実施形態について説明する。この場合にも、図１〜図５に示された第１実施形態と同一部分には同一符号を付して説明する。
この腕時計の表示装置４０は、図９および図１０に示すように、第１、第２の各ストッパピン２３、２４を一対の板ばね４１にそれぞれ設けた構成であり、これ以外は第１実施形態とほぼ同様に構成されている。
【００７３】
この場合、ハウジング２上には、図９に示すように、円板状の固定部４２が設けられている。この固定部４２には、指針軸１３が回転可能に取り付けられている。この固定部４２の外周部には、一対の板ばね４１がそれぞれ放射方向に向けて設けられている。この一対の板ばね４１は、図１０に示すように、その先端側が固定部４２の円周方向に沿って撓み変形するように構成されている。この一対の板ばね４１の各先端部には、第１、第２の各ストッパピン２３、２４が起立した状態で取り付けられている。
【００７４】
この第１、第２の各ストッパピン２３、２４は、第１実施形態と同様、その各上部が目盛表示部１０の両端部に位置する下文字板４の箇所にそれぞれ設けられた一対の挿入孔２６を通して下文字板４の上方に突出するように構成されている。この一対の挿入孔２６は、指針軸１３を中心とする円弧状の長孔に形成され、この長孔に沿って第１、第２の各ストッパピン２３、２４が移動するように構成されている。
【００７５】
次に、この腕時計における表示装置４０の作用について説明する。
この表示装置４０も、第１実施形態と同様、時計モジュール１に組み込まれた気圧センサー（図示せず）によって気圧が検出されると、その検出データに基づいてステッピングモータ１２が回転する。これにより、指針１１が目盛表示部１０の上方を移動して目盛９、例えば図１に示したように、７００（気圧）の目盛９を指示することにより、気圧が指示表示される。
【００７６】
一方、気圧が低下して指針１１が左側の第１ストッパピン２３に当接して停止した際には、ステッピングモータ１２への通電が断たれて、ロータ１８の回転が停止する。このときにも、ロータ１８の磁石部２０は、その磁極（Ｎ極とＳ極）の境界部が、ステータ１７の貫通孔１７ａにおける一対のノッチ１７ｂに対応した状態で、ロータ１８が停止する。このため、ステッピングモータ１２は、次の気圧測定でコイル部１６に電流が供給されると、ロータ１８が回転する状態を維持する。
【００７７】
このような状態で、腕時計が外部から衝撃を受けて、その衝撃によって指針１１が第１ストッパピン２３を押した際には、この押された第１ストッパピン２３が板ばね４１を撓み変形させ、その反動で板ばね４１が弾性復帰して指針１１を押し戻す。これにより、ステッピングモータ１２のロータ１８が僅かに回転して、ロータ１８の磁石部２０における磁極（Ｎ極とＳ極）の境界部が、ステータ１７の貫通孔１７ａにおける一対のノッチ１７ｂに対して位置ずれしても、板ばね４１の弾性復帰力によって指針１１が押し戻される。
【００７８】
このため、ステッピングモータ１２は、ロータ１８の磁石部２０における磁極（Ｎ極とＳ極）の境界部が、ステータ１７の貫通孔１７ａにおける一対のノッチ１７ｂに対応した状態で、ロータ１８が停止する。これにより、ステッピングモータ１２は、次の気圧測定でコイル部１６に電流が供給されると、ロータ１８が回転する状態になる。
【００７９】
同様に、気圧が上昇して指針１１が右側の第２ストッパピン２４に当接して停止した際にも、ステッピングモータ１２への通電が断たれて、ロータ１８の回転が停止する。このときにも、ロータ１８の磁石部２０は、その磁極（Ｎ極とＳ極）の境界部が、ステータ１７の貫通孔１７ａにおける一対のノッチ１７ｂに対応した状態で、ロータ１８が停止する。このため、ステッピングモータ１２は、次の気圧測定でコイル部１６に電流が供給されると、ロータ１８が回転する状態を維持する。
【００８０】
このような状態で、腕時計が外部から衝撃を受けて、その衝撃によって指針１１が第２ストッパピン２４を押した際には、この押された第２ストッパピン２４が板ばね４１を撓み変形させ、その反動で板ばね４１が弾性復帰して指針１１を押し戻す。これにより、ステッピングモータ１２のロータ１８が僅かに回転して、ロータ１８の磁石部２０における磁極（Ｎ極とＳ極）の境界部が、ステータ１７の貫通孔１７ａにおける一対のノッチ１７ｂに対して位置ずれしても、板ばね４１の弾性復帰力によって指針１１が押し戻される。
【００８１】
このため、ステッピングモータ１２は、ロータ１８の磁石部２０における磁極（Ｎ極とＳ極）の境界部が、ステータ１７の貫通孔１７ａにおける一対のノッチ１７ｂに対応した状態で、ロータ１８が停止する。これにより、ステッピングモータ１２は、次の気圧測定でコイル部１６に電流が供給されると、ロータ１８が回転する状態になる。
【００８２】
さらに、指針１１が何らかの原因によって第１、第２の各ストッパピン２３、２４のいずれか一方に当接して、ステッピングモータ１２のロータ１８が回転動作しない状態のときには、腕時計を強く振って、板ばね４１を強制的に撓み変形させることにより、第１、第２の各ストッパピン２３、２４を回転させて指針１１を移動させ、ステッピングモータ１２のロータ１８を強制的に回転させる。
【００８３】
これにより、ロータ１８の磁石部２０における磁極（Ｎ極とＳ極）の境界部が、ステータ１７の貫通孔１７ａにおける一対のノッチ１７ｂに対して位置ずれして、指針１１が停止していても、板ばね４１の撓み変形によってロータ１８が回転してロータ１８の磁石部２０における磁極（Ｎ極とＳ極）の境界部を、ステータ１７の貫通孔１７ａにおける一対のノッチ１７ｂに対応させ、ロータ１８を回転可能な状態にする。
【００８４】
このように、この腕時計の表示装置４０によれば、指針１１が第１、第２の各ストッパピン２３、２４のいずれかに当接してステッピングモータ１２が停止している状態のときに、外部から衝撃を受けて、指針１１が第１、第２の各ストッパピン２３、２４のいずれかに強く押し付けられると、その衝撃によって板ばね４１が撓み変形して第１、第２の各ストッパピン２３、２４の一方を移動させることができる。
【００８５】
このため、指針１１が第１、第２の各ストッパピン２３、２４のいずれかと共に移動した後に、その反動で板ばね４１が弾性復帰して第１、第２の各ストッパピン２３、２４の一方を元の位置に戻すことができるので、ステッピングモータ１２の回転位置がずれても、その位置ずれを元に戻すことができる。これにより、外部衝撃を受けても、ステッピングモータ１２を確実に動作させることができる。
【００８６】
この場合、一対の板ばね４１は、指針軸１３を中心に回転する方向に撓み変形する構成であるから、指針１１が何らかの原因によって第１、第２の各ストッパピン２３、２４のいずれか一方に当接して、ステッピングモータ１２のロータ１８が回転動作しない状態のときに、腕時計を強く振って、一対の板ばね４１を強制的に撓み変形させることができ、これにより第１、第２の各ストッパピン２３、２４を回転させることができるので、指針１１を移動させてステッピングモータ１２のロータ１８を強制的に回転させることができる。
【００８７】
これにより、ロータ１８の磁石部２０における磁極（Ｎ極とＳ極）の境界部が、ステータ１７の貫通孔１７ａにおける一対のノッチ１７ｂに対して位置ずれして、指針１１が停止していても、一対の板ばね４１の撓み変形によってロータ１８を強制的に回転させて、磁石部２０における磁極（Ｎ極とＳ極）の境界部を、ステータ１７の貫通孔１７ａにおける一対のノッチ１７ｂに対応させることができるので、ロータ１８を回転可能な状態にすることができる。
【００８８】
なお、上述した第３実施形態では、可動支持部材として板ばね４１を用いた場合について述べたが、これに限らず、例えばコイルばねなどの他のばね部材を用いても良く、また、ばね部材に限らず、ウレタン樹脂やゴムなどの弾性部材を用いても良い。
【００８９】
また、上述した第１〜第３の各実施形態では、目盛表示部１０が気圧などの目盛９が表示されている場合について述べたが、これに限らず、気温や湿度、月の満ち欠け、潮の満ち引き、速度などを表示するものにも適用することができる。
【００９０】
また、上述した第１〜第３の各実施形態では、目盛表示部１０の両側に第１、第２の各ストッパピン２３、２４または第１、第２の各ストッパ部３１、３２を設けた場合について述べたが、必ずしも目盛表示部１０の両側に第１、第２の各ストッパピン２３、２４または第１、第２の各ストッパ部３１、３２を設ける必要はなく、少なくとも目盛表示部１０の片側のみに第１、第２の各ストッパピン２３、２４または第１、第２の各ストッパ部３１、３２のいずれかを設けた構成であっても良い。
【００９１】
さらに、上述した第１〜第３の各実施形態では、指針式の腕時計に適用した場合について述べたが、必ずしも腕時計である必要はなく、例えばトラベルウオッチ、目覚まし時計、置き時計、掛け時計などの各種の時計に適用することができるほか、時計に限らず、速度メータなどの計器にも適用することができる。
【００９２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９３】
（付記）
請求項１に記載の発明は、予め定められた表示領域に設けられた目盛表示部と、この目盛表示部の上方を移動して前記目盛表示部の目盛を指示する指針と、この指針を駆動するためのステッピングモータと、前記目盛表示部の端部に位置して前記指針の移動範囲を規制するストッパ部と、このストッパ部を移動可能に支持する可動支持部材とを備えていることを特徴とする表示装置である。
【００９４】
請求項２に記載の発明は、請求項１に記載の表示装置において、前記可動支持部材は、前記指針の回転中心を中心に回転可能に配置され、且つその回転中心を境に重量バランスが異なる回転連結板であり、この回転連結板の両端部に前記ストッパ部がそれぞれ取り付けられていることを特徴とする表示装置である。
【００９５】
請求項３に記載の発明は、請求項１に記載の表示装置において、前記可動支持部材は、偏心回転する偏心回転体であり、この偏心回転体に前記ストッパ部が取り付けられていることを特徴とする表示装置である。
【００９６】
請求項４に記載の発明は、請求項１に記載の表示装置において、前記可動支持部材は、前記指針の移動方向に弾力的に変位する弾性部材であり、この弾性部材に前記ストッパ部が取り付けられていることを特徴とする表示装置である。
【００９７】
請求項５に記載の発明は、請求項１に記載の表示装置を備えていることを特徴とする電子時計である。
【符号の説明】
【００９８】
１  時計モジュール
２  ハウジング
３  上文字板
４  下文字板
８、３０、４０  表示装置
１０  目盛表示部
１１  指針
１２  ステッピングモータ
１３  指針軸
１６  コイル部
１７  ステータ
１７ａ  貫通孔
１７ｂ  ノッチ
１８  ロータ
２３、２４  第１、第２の各ストッパピン
２５  回転連結板
３１、３２  第１、第２の各ストッパ部
３３  偏心回転体
３４  回転軸
３５  偏心部
４１  板ばね
【図１】
0005573870.tif 000002
【図２】
0005573870.tif 000003
【図３】
0005573870.tif 000004
【図４】
0005573870.tif 000005
【図５】
0005573870.tif 000006
【図６】
0005573870.tif 000007
【図７】
0005573870.tif 000008
【図８】
0005573870.tif 000009
【図９】
0005573870.tif 000010
【図１０】
0005573870.tif 000011